(57)【要約】【課題】手術後に人体に残る微細腫瘍細胞をより精密で効果的に破壊することができる、人体に無害な腫瘍治療器を提供する。【解決手段】外部の貯蔵タンクに連結され、前記液体が循環される供給管および排出管を含む本体；前記本体に結合され、前記供給管および排出管を取り囲む延長管が一体に結合され、内側には前記供給管および排出管が連結され、前記高温液体を受ける中空部が備えられた治療球；および治療部位の温度を測定する温度センサーを含む。【選択図】図３
2007301369.tif 000002
【特許請求の範囲】
【請求項１】
外部の貯蔵タンクに保存された液体を利用して腫瘍を治療する高温腫瘍治療器において、
前記貯蔵タンクと連結され、前記液体が循環される供給管および排出管を含む本体；
前記本体に結合され、前記供給管および排出管を取り囲む延長管が一体に結合され、内側には前記供給管および排出管が連結され、前記液体を受ける中空部が備えられた治療球；および
治療部位の温度を測定する温度センサー；を含むことを特徴とする腫瘍治療器。
【請求項２】
前記治療球は、
前記温度センサーが突出するように、前面に温度センサー突設口が備えられ、
治療部位の大きさによって直径の異なる治療球が使用できるように、前記本体に入替え可能に結合されることを特徴とする請求項１に記載の腫瘍治療器。
【請求項３】
前記温度センサーは、
前記本体の内側に挿入された後、固定手段によって固定され、一端部が外部と信号交換するように、前記本体の外部に露出する固定部と、
前記固定部の下部に結合され、前記本体と治療球の内部に挿入されるセンサー管と、
前記センサー管の先端部に備えられ、前記治療球の前方に突出するように設置され、治療部位の温度を測定する温度感知部とを含むことを特徴とする請求項１または２に記載の腫瘍治療器。
【請求項４】
前記温度感知部は前記センサー管の切欠孔に設置され、前記治療球の内部で循環される前記液体の熱に影響されないように、前記温度感知部と前記切欠孔との間には断熱材が設置されることを特徴とする請求項３に記載の腫瘍治療器。
【請求項５】
前記固定手段は、
前記固定部の外側に一定間隔で形成された複数の係止溝と、
前記固定部の係止溝に対応するように前記本体に設けられた係止突起とからなることを特徴とする請求項３に記載の腫瘍治療器。
【請求項６】
前記固定手段は、
前記固定部と本体に備えられたネジ部からなることを特徴とする請求項３に記載の腫瘍治療器。
【発明の詳細な説明】
【技術分野】
【０００１】
本発明は腫瘍除去手術後に手術部位の周りに残っている微細腫瘍細胞を除去するための腫瘍治療器に係り、より詳しくは腫瘍を外科的な手術で一次に除去し、手術部位に生じた中空部に腫瘍治療器を挿入して、手術部位の周りに残り得る微細腫瘍細胞を適切に破壊することができる腫瘍治療器に関するものである。
【背景技術】
【０００２】
一次に腫瘍細胞を外科的に除去する手術後に別途の治療が必要な理由は、脳または乳房などの身体部位は外科的に腫瘍を除去するに際して、他の身体部位よりも正確に腫瘍細胞のみを除去しなければならないからである。
【０００３】
脳の場合、腫瘍を除去するために腫瘍周辺の元気な細胞が除去されれば、患者が回復した後にも、致命的な麻痺症状、言語障害および記憶力減退などの後遺症に苦しむ危険がある。
【０００４】
乳房の場合にも、前記脳の場合のような致命的な障害が発生するものではないが、美容上の理由で、腫瘍細胞のみを精密に除去することが必要である。
【０００５】
このように、外科的な手術で腫瘍を除去した後、別の治療装置を利用して、手術部位周辺の組職に残り得る微細腫瘍細胞を精密に除去することは患者の生に非常に大きな影響を及ぼす。
【０００６】
一方、腫瘍細胞は、正常細胞とは異なり、４０〜４３℃の温度で破壊される特性がある。このような腫瘍細胞の特性を利用して、４０〜４３℃の高熱を利用して、人体に発生した腫瘍を治療する方法が使われている。光照射による方法と無線周波数による放射治療法などがこれにあたる。
【０００７】
しかし、前記光の照射による方法と放射治療法などは手術部位から遠距離で治療が行われ、治療すべき部位を外れた広い範囲で治療が行われるため、正常細胞にも影響を与え、精密な治療が必要な脳または乳房などの身体部位には使いにくい問題点があった。
【発明の開示】
【発明が解決しようとする課題】
【０００８】
本発明は前記のような問題点に鑑みてなされたもので、人体に無害であり、手術後に人体に残る微細腫瘍細胞をより精密で効果的に破壊することができる高温腫瘍治療器を提供することをその目的とする。
【課題を解決するための手段】
【０００９】
前記目的を達成するため、本発明による腫瘍治療器は、外部の貯蔵タンクに連結され、液体が循環される供給管および排出管を含む本体；前記本体に結合され、前記供給管および排出管を取り囲む延長管が一体に結合され、内側には前記供給管および排出管が連結され、前記液体を受ける中空部が備えられた治療球；および治療部位の温度を測定する温度センサー；を含むことを特徴とする。
【００１０】
前記治療球は、前記温度センサーが突出するように、前面に温度センサー突設口が備えられ、治療部位の大きさによって直径の異なる治療球が使用できるように、前記本体に入替え可能に結合される。
【００１１】
前記温度センサーは、前記本体の内側に挿入された後、固定手段によって固定され、一端部が外部と信号交換するように、前記本体の外部に露出する固定部と、前記固定部の下部に結合され、前記本体と治療球の内部に挿入されるセンサー管と、前記センサー管の先端部に備えられ、前記治療球の前方に突出するように設置され、治療部位の温度を測定する温度感知部とを含む。
【００１２】
前記温度感知部は前記センサー管の切欠孔に設置され、前記治療球の内部で循環される前記高温液体の熱に影響されないように、前記温度感知部と前記切欠孔との間には断熱材が設置される。
【００１３】
前記固定手段は、前記固定部の外側に一定間隔で形成された複数の係止溝と、前記固定部の係止溝に対応するように前記本体に設けられた係止突起とからなるか、あるいは前記固定部と本体に備えられたネジ部からなる。
【発明の効果】
【００１４】
以上説明したように、本発明による腫瘍治療器は、従来の方式に比べ、治療部位の腫瘍を除去するための最適の温度を維持しやすいし、治療が必要な手術部位の周りにだけ治療ができるので、微細腫瘍細胞を精密に治療することができる効果がある。さらに、液体を使用する本発明の腫瘍治療器は、従来の腫瘍治療器より体積が小さくて操作が簡便で、人体にも安全であり、微細腫瘍細胞を治療することができるものである。
【発明を実施するための最良の形態】
【００１５】
以下、添付図面に基づいて本発明による腫瘍治療器の好適な実施例を詳細に説明する。
【００１６】
図１〜図３に示すように、本発明による腫瘍治療器は、本体１００、延長管３００が結合された治療球２００、および温度センサー４００から構成される。
【００１７】
本体１００は、外部の貯蔵タンク５１０（図６参照）から供給される高温液体６００（図６参照）が治療球２００の中空部２１０に連続的に供給されるように、供給管１１０と排出管１２０を含む。供給管１１０と排出管１２０は、本体１００の内部に長手方向に貫置され、治療球２００の中空部２１０の内部まで伸びて設置される。
【００１８】
供給管１１０と排出管１２０は、一端部がそれぞれ本体１００の後端部に露出し、別途の連結手段を介して貯蔵タンク５１０と連結される。
【００１９】
本体１００の中心部には、内部の長手方向に温度センサー４００が挿入されるセンサー挿入管１３０を備える。本体１００は円筒状であるが、本発明はこれに限定されるものではなく、四角柱または六角柱などの形状であることもできる。また、本体１００の先端部には、治療球２００が結合されるように、延長管締結部１５０を備える。
【００２０】
治療球２００は内部が空いている中空部２１０が形成された球状であり、その一側には延長管３００が結合される。延長管３００は前記本体１００の延長管締結部１５０に結合される。本実施例においては、延長管３００が延長管締結部１５０に嵌め合わせられるものを例示しているが、螺合されることも可能である。
【００２１】
治療球２００は、前面に温度センサー突設口２２０が形成され、前記温度センサー突設口２２０を通じて、温度センサー４００の温度感知部４２０が手術部位に一定深さだけ挿入されるように露出する。
【００２２】
前記延長管３００は、本体１００を貫いて治療球２００に連結される供給管１１０、排出管１２０およびセンサー挿入管１３０を取り囲む円筒状である。
【００２３】
このような治療球２００は、手術部位の大きさを考慮し、直径を所要大きさ別にそれぞれ製作されて、本体１００に入替え可能に結合される。よって、使用者は、治療球２００を大きさ別に準備した後、患者の手術部位の大きさに合う治療球２００を選択し、本体１００の延長管締結部１５０に結合して使用することができる。
【００２４】
腫瘍細胞は、正常細胞とは異なり、４０〜４３℃程度の温度で破壊される。
【００２５】
したがって、腫瘍除去手術後にできた空洞Ｃに、本発明による高温腫瘍治療器の治療球２００を挿入し、腫瘍が破壊される温度を一定時間維持すれば、手術部位の周りに残っている微細腫瘍細胞が破壊される。
【００２６】
温度センサー４００は、図４および図５に示すように、固定部４３０、センサー管４１０および温度感知部４２０から構成される。
【００２７】
固定部４３０は本体１００に固定手段４５０によって固定され、後端部が本体１００の後端に露出する。前記固定手段４５０は、本体に備えられた係止突起４５２と、固定部４３０の外側に一定間隔で備えられた係止溝４５１とから構成される。この際、係止突起４５２はスプリング４５２ａによって弾支される。
【００２８】
センサー管４１１は、上部が前記固定部４３０の先端部に結合され、下部は後述する温度感知部４２０が露出するように切欠孔４１１が形成された断面円形の管状である。
【００２９】
温度感知部４２０は治療部位の温度を感知するためのもので、センサー管４１０に挿入されて、センサー管４１０下部の切欠孔４１１に露出するように設置され、外部と信号交換できるように提供される。
【００３０】
このような温度センサー４００は、前記治療球２００で循環される高温液体６００の熱気が微細腫瘍細胞の予想分布部分まで均一に伝達されるかを監視するために挿入される温度検出手段で、治療球２００の前面に形成された温度センサー突設口２２０に突設される。
【００３１】
前記治療球２００の前方に突設される温度センサー４００は、治療球２００から手術部位に挿入される温度感知部４２０の挿入深さを調節することが望ましい。これは、腫瘍の大きさと患者の状態によって微細腫瘍細胞の分布部分が違い、これによる治療範囲および治療時間にも違いがあるからである。すなわち、腫瘍細胞が破壊される部分の正確な温度を測定することにより、高温液体６００の熱気が均一に治療部位に伝達されて効果的な治療が可能である。
【００３２】
このために、前記実施例による固定手段４５０は、固定部４３０の後端部を摘み、図５の矢印の方向に、上下に移動すれば、本体１００側の係止突起４５２に固定部４３０側の係止溝４５１が係合されて、本体１００の外に押し出されないで本体１００に固定される。また、係止溝４５１の離隔距離の分だけ挿入深さを調整することができるものである。
【００３３】
図６は前記固定手段４５０の他の実施例を示すもので、固定手段４５０は、前記の係止溝４５１と係止突起４５２ではなく、固定部４３０と本体１００にそれぞれ形成されたネジ部４５５ａ、４５５ｂからなる。
【００３４】
固定部４３０と本体１００は、前記固定手段４５０のネジ部４５５ａ、４５５ｂによって螺合される。
【００３５】
このように、固定部４３０が本体１００に螺合されるので、固定部４３０を回転させて温度センサー４００の挿入深さを調節することができる。すなわち、ネジ部４５５ａ、４５５ｂが形成された範囲内で温度センサー４００の挿入深さを自由に調整することができるという利点がある。
【００３６】
また、治療球２００の中空部２１０（図３参照）で循環される高温液体６００の熱気がセンサー管４１０を通じて感知部４２０に伝達されることを防止するために、センサー管４１０の切欠孔４１１には、センサー管４１０と温度感知部４２０が直接接触しないように、断熱材４４０が挿入される。よって、温度センサー４００の温度感知部４２０は治療部位の温度を正確に測定することができることになる。
【００３７】
このように構成された本発明による腫瘍治療器は、脳または乳房などの如く、腫瘍の除去に際して、他の身体部位は残し腫瘍のみを精巧に除去しなければならない場合に、手術後に手術部位の周りに残っている微細腫瘍細胞をまったく破壊させることができる効果がある。
【００３８】
図７および図８に基づいて、本発明の実施例による腫瘍治療器の使用状態を説明する。
【００３９】
図８に示すように、使用者は、腫瘍除去手術の後、患者の身体に腫瘍の除去によって生じた空洞Ｃに、適切な大きさの治療球２００が結合された高温腫瘍治療器を挿入する。治療球２００には高温液体６００が継続的に供給されるので、治療部位が加熱されて微細腫瘍細胞は破壊される。
【００４０】
図７に示すように、本発明による腫瘍治療器の供給管１１０および排出管１２０は、高温液体６００を保存している貯蔵タンク５１０と連結される。
【００４１】
腫瘍治療器に熱を供給するために使用される高温液体６００は、治療中に流出しても人体に無害な蒸留水を使用することが望ましいが、人体に無害な液体であればいずれのものを使用してもかまわない。
【００４２】
供給ポンプ５３０によって供給管１１０に流入した高温液体６００は、本体１００および連結管３００を通じて治療球２００に入る。その後、さらに連結管３００および本体１００を経て排出管１２０を通じて排出される。加熱器５２０は高温液体６００を加熱する。制御器５００は、温度センサー４００と信号交換するように連結され、温度センサー４００によって感知された治療部位の温度を表示する。また、制御器５００は、供給ポンプ５３０および加熱器５２０と信号交換するように連結され、供給ポンプ５３０および加熱器５２０が適切に動作するように制御する。
【００４３】
前述したように、本発明による腫瘍治療器は高温の液体６００を利用して腫瘍細胞を治療するもので、治療の効果を高めるためには、治療部位の温度を正確に制御するのが重要である。
【００４４】
一方、手術部位に直接挿入されて、手術部位の周りに残り得る微細腫瘍細胞を治療するための本発明による腫瘍治療器は人体の内部に接触するもので、腫瘍治療器を構成する金属は人体に対する反応性が低くなければならない。したがって、腫瘍治療器は、人体に反応性が低い金または銀のような物質より製作されるかメッキされることが望ましい。
【００４５】
以上本発明の好適な実施例について説明したが、本発明は前述した特定の実施例に限定されるものではない。すなわち、本発明が属する技術分野で通常の知識を持った者であれば、特許請求範囲の思想および範疇を逸脱せずに、本発明に対する複数の変更および修正が可能であり、そのようなすべての適切な変更および修正の均等物なども本発明の範囲に属するものと見なされなければならない。
【産業上の利用可能性】
【００４６】
本発明は、手術後に人体に残る微細腫瘍細胞をより精密で効果的に破壊することができる、人体に無害な腫瘍治療器に適用可能である。
【図面の簡単な説明】
【００４７】
【図１】本発明の実施例による腫瘍治療器を示す斜視図である。
【図２】図１の温度センサーを除いた本体と治療球が分離された状態を示す斜視図である。
【図３】図１の線III−IIIに沿って取った断面図である。
【図４】本発明の実施例による腫瘍治療器の温度センサーを示す斜視図である。
【図５】本発明に実施例による腫瘍治療器の温度センサー固定部を拡大した部分断面図である。
【図６】本発明に実施例による腫瘍治療器の固定手段の他の実施例を示す部分破断斜視図である。
【図７】本発明の実施例による腫瘍治療器の使用状態を示す図である。
【図８】本発明の実施例による腫瘍治療器の患者に対する使用状態を示す図である。
【符号の説明】
【００４８】
１００    本体
１１０    供給管
１２０    排出管
１３０    センサー挿入管
１５０    延長管締結部
２００    治療球
２１０    中空部
２２０    温度センサー突設口
３００    延長管
４００    温度センサー
４１０    センサー管
４１１    切欠孔
４２０    温度感知部
４３０    固定部
４４０    断熱材
４５０    固定手段
４５１    係止溝
４５２    係止突起
４５２ａ    スプリング
４５５ａ    ネジ部
４５５ｂ    ネジ部
５００    制御器
５１０    貯蔵タンク
５２０    加熱器
５３０    供給ポンプ
６００    高温液体
Ｃ    空洞
【図１】
2007301369.tif 000003
【図２】
2007301369.tif 000004
【図３】
2007301369.tif 000005
【図４】
2007301369.tif 000006
【図５】
2007301369.tif 000007
【図６】
2007301369.tif 000008
【図７】
2007301369.tif 000009
【図８】
2007301369.tif 000010